(57)【要約】【課題】照明光学系のアパーチャによる所与の制限にも関わらず、照明の強度増強が可能なステレオ顕微鏡を提供する。【解決手段】第１照明装置を有すると共に、該照明装置の光が、作動状態において、調整可能なスペクトル範囲にあり、かつ被観察対象に対して指向可能であるように構成されたステレオ顕微鏡であって、少なくとも１つの更なる照明装置（３０）が配設されると共に、該少なくとも１つの更なる照明装置（３０）の光が、作動状態において、前記スペクトル範囲と同じスペクトル範囲を有すると共にスペクトル範囲は調整可能であることを特徴とする。【選択図】図１
2006221167.tif 000002
【特許請求の範囲】
【請求項１】
第１照明装置を有すると共に、該照明装置の光が、作動状態において、調整可能なスペクトル範囲にあり、かつ被観察対象に対して指向可能であるように構成されたステレオ顕微鏡であって、
少なくとも１つの更なる照明装置（３０）が配設されると共に、該少なくとも１つの更なる照明装置（３０）の光が、作動状態において、少なくとも前記第１照明装置のスペクトル範囲と同じスペクトル範囲にあるスペクトル分布を有すると共にスペクトルについて調整可能に構成されたこと
を特徴とするステレオ顕微鏡。
【請求項２】
前記少なくとも１つの更なる照明装置（３０）のスペクトル分布は、第１の照明装置（２０）のスペクトル範囲に対してずれたスペクトル領域を含むこと
を特徴とする請求項１に記載のステレオ顕微鏡。
【請求項３】
前記少なくとも１つの更なる照明装置（３０）の前記第１の照明装置（２０）に対してずれた前記スペクトル領域は、３８０〜４２０ｎｍの青色領域にあること
を特徴とする請求項２に記載のステレオ顕微鏡。
【請求項４】
前記少なくとも１つの更なる照明装置（３０）の前記第１の照明装置（２０）に対してずれた前記スペクトル領域は、紫外線領域にあること
を特徴とする請求項２に記載のステレオ顕微鏡。
【請求項５】
前記少なくとも１つの更なる照明装置（３０）の前記第１の照明装置（２０）に対してずれた前記スペクトル領域は、赤外線領域にあること
を特徴とする請求項２に記載のステレオ顕微鏡。
【請求項６】
前記照明装置（２０、３０）の少なくとも１つにおいて、少なくとも１つの照明及び／又は励起フィルタ（２８、３８）が、光放射体（２１、３１）のビーム路に可動に構成されていること
を特徴とする請求項１〜５の何れか一項に記載のステレオ顕微鏡。
【請求項７】
前記少なくとも１つの照明及び／又は励起フィルタ（２８、３８）は、前記照明装置（２０、３０）の少なくとも１つにおいて、電気機械式駆動装置（２７、３７）によって可動に構成されること
を特徴とする請求項６に記載のステレオ顕微鏡。
【請求項８】
前記電気機械式駆動装置（２７、３７）は、前記照明装置（２０、３０）の少なくとも１つにおいて、誤作動を回避するために確認通知を伴う終端スイッチを備えた中央制御装置（６０）によって制御されること
を特徴とする請求項７に記載のステレオ顕微鏡。
【請求項９】
観察ビーム路（１１）にも１又は複数の照明ビーム路（４５、５５）にも可動に構成された共通のフィルタセット（６８）が配設されること
を特徴とする請求項１〜８の何れか一項に記載のステレオ顕微鏡。
【請求項１０】
共通の電気機械式駆動装置（６７）が配設されること
を特徴とする請求項９に記載のステレオ顕微鏡。
【請求項１１】
少なくとも２つの前記照明装置（２０、３０）のビーム路（２２、３２、４１、５１、４５、５５）のための照明及び／又は励起フィルタ（２８、３８、５８）が配設されること、及び
前記照明及び／又は励起フィルタ（２８、３８、５８）を同期的に運動させるための共通の制御装置（６０）が配設されること
を特徴とする請求項１〜１０の何れか一項に記載のステレオ顕微鏡。
【請求項１２】
前記観察ビーム路（１１）には、観察フィルタ（１８）が、電気機械式駆動装置（１７）によって可動に構成されること、及び
当該電気機械式駆動装置（１７）は、同様に、前記共通の制御装置（６０）によって制御されること
を特徴とする請求項１１に記載のステレオ顕微鏡。
【請求項１３】
前記第１の照明装置（２０）のビーム路に可動に構成された白色光補正フィルタを有すること
を特徴とする請求項１〜１２の何れか一項に記載のステレオ顕微鏡。
【発明の詳細な説明】
【技術分野】
【０００１】
本発明は、手術顕微鏡等のステレオ顕微鏡に関し、とりわけ、照明装置を有すると共に、該照明装置の光が、作動状態において、調整可能なスペクトル範囲にあり、かつ被観察対象に対して指向可能であるように構成されたステレオ顕微鏡に関する。（該照明装置の予め設定されたスペクトル範囲の光は、光学装置によって、被観察対象に対して指向可能に構成されている。）選択的に、他のスペクトル領域にある少なくとも１つの更なる照明の光が付加供給可能に構成される。
【背景技術】
【０００２】
蛍光法は、調整可能なフィルタを用いて定義された励起スペクトルを対象物に供給し、該対象物から放射された信号応答をスペクトル的に励起光から分離しかつ観察及び分析に供する十分よく知られた方法である。そのため、例えば医療分野では、外科手術の支援及び放射された蛍光光による移植組織のマーキング等の多くの応用例が知られている。顕微鏡に（一体的に）組み込まれた蛍光装置によるそのような方法の使用の特別な一例として、神経外科用の手術顕微鏡がある。この顕微鏡は、例えばＡＬＡ（Amino Levulinic Acid（アミノレブリン酸）＝Amino-Laevulinsaeure）又はｍＴＨＰＣ（meso-Tetra-Hydroxy-Phenyl-Chlorin（メソテトラヒドロキシフェニルクロリン））という名称で知られている光増感剤を使用して特定の腫瘍の完全な手術を可能にする。
【０００３】
他の用途の１つは、例えば、ＮＩＲ（近赤外線）領域の光が励起のために使用され、次いで対象物がより長波長のスペクトル領域で観察される赤外線血管造影法に関する。他の種々の使用例では、（可視的でない）紫外線を使用する。紫外線〜青色光と、青色光〜赤色光と、遠赤外線までとの間のその他のスペクトル領域も同様に使用可能である。
【０００４】
【特許文献１】ＵＳ６，５１０，３３８
【特許文献２】ＤＥ１９５ ４８ ９１３
【発明の開示】
【発明が解決しようとする課題】
【０００５】
組織ないし対象物が励起されるべきところでは、励起スペクトルの強度が十分に大きいことが極めて重要である。例えば、３８０〜４２０ｎｍの範囲の青色励起光で作動される場合、使用される蛍光作用物質に応じて、特定の蛍光信号（例えばＡＬＡでは６３５ｎｍ）が得られる。このため、一般的に、通常の顕微鏡白色光も蛍光法のために必要な青色光も生成する３００Ｗのキセノン光源が使用される。なお、青色光は、キセノンバーナー（Xenon-Brenner）の目標を定めた選択による３８０〜４２０ｎｍのスペクトル領域のフィルタリング及び最適化により生成される。他のスペクトル領域に関しても同様のことが当て嵌まることは勿論である。そのような既知の顕微鏡ないし手術顕微鏡の例は、例えば、上掲特許文献１又は同２に見出される。これら文献には、照明装置の光が、光導波装置及びその他の光学装置を介して被観察対象に供給されることが記載されている。
【０００６】
ところで、これら既知の顕微鏡で問題なのは、照明光源を選択する場合に一定の妥協をせざるを得ないということである。即ち、結局のところ、一方では、観察用の白色光品質を最適化することができず、他方では、まさに青色光部分を増加及び最適化した場合、他のスペクトル領域が反比例的に変動・低下（unterproportional）して標準白色光（での画像の）状態に色調歪み（Farbstich：生成画像が所定の色側により多くのカラートーンを有する傾向を有すること。このカラートーンはより大きい強度を有する照明光のカラーに応じて任意ものであり得る。）が生じてしまう。確かに、フィルタによる色調歪みの補正は理論的には可能であるが、その場合強度も減少してしまう。他方、手術領域の色的に正しい観察は、すでに診断上の理由からしても重要である。しかしながら、強度を増加することは、顕微鏡照明光学系の制限されたアパーチャ及びランプ（光）供給の増加による他の作用のため、可能ではなかった。
【０００７】
それゆえ、本発明の一課題は、照明光学系のアパーチャによる所与の制限にも関わらず、照明の強度増強が可能となるよう、冒頭で述べた種類の顕微鏡を構成することである。また、本発明の他の課題は、白色光品質を改善することである。
【課題を解決するための手段】
【０００８】
本発明の一視点により、第１照明装置を有すると共に、該照明装置の光が、作動状態において、調整可能なスペクトル範囲にあり、かつ被観察対象に対して指向可能であるように構成されたステレオ顕微鏡が提供される。このステレオ顕微鏡において、少なくとも１つの更なる照明装置が配設されると共に、該少なくとも１つの更なる照明装置の光が、作動状態において、スペクトルについて調整可能に構成されると共に、少なくとも前記第１照明装置のスペクトル範囲と同じスペクトル範囲にあるスペクトル分布を有する（例えば、被観察対象上において、（場合によりフィルタ等によってそれぞれ調整された、）第１の照明装置の光と、少なくとも１つの更なる照明装置の光とが、少なくとも同じスペクトル範囲を有する。）ことを特徴とする（形態１・基本構成）。
【発明の効果】
【０００９】
本発明の独立請求項１により、上記課題に対応した効果が上述のように達成される。即ち、本発明のステレオ顕微鏡では、照明光学系のアパーチャによる所与の制限が存在するにも関わらず、照明の強度の増強が可能である。
更に、各従属請求項により付加的な効果がそれぞれ達成される。
【発明を実施するための最良の形態】
【００１０】
以下に、本発明の好ましい実施の形態を、上記基本構成を形態１として示すが、これらは従属請求項の対象でもある。
（形態１）  上掲。
（形態２）  上記形態１のステレオ顕微鏡において、前記少なくとも１つの更なる照明装置の（光源ないし光放射体の）スペクトル分布は、前記第１の照明装置（の光源ないし光放射体）のスペクトル範囲に対してずれたスペクトル領域を含む（有する）ことが好ましい。
（形態３）  上記形態２のステレオ顕微鏡において、前記少なくとも１つの更なる照明装置の（光源ないし光放射体の）前記第１の照明装置（の光源ないし光放射体）に対してずれた前記スペクトル領域は、３８０〜４２０ｎｍの青色領域にあることが好ましい。
（形態４）  上記形態２のステレオ顕微鏡において、前記少なくとも１つの更なる照明装置の（光源ないし光放射体の）前記第１の照明装置（の光源ないし光放射体）に対してずれた前記スペクトル領域は、紫外線領域にあることが好ましい。
（形態５）  上記形態２のステレオ顕微鏡において、前記少なくとも１つの更なる照明装置の（光源ないし光放射体の）前記第１の照明装置（の光源ないし光放射体）に対してずれた前記スペクトル領域は、赤外線領域にあることが好ましい。
（形態６）  上記形態１〜５のステレオ顕微鏡において、前記照明装置（複数）の少なくとも１つにおいて、少なくとも１つの照明及び／又は励起フィルタが、光放射体のビーム路に可動に構成されていることが好ましい。
（形態７）  上記形態６のステレオ顕微鏡において、前記少なくとも１つの照明及び／又は励起フィルタは、前記照明装置（複数）の少なくとも１つにおいて、電気機械式駆動（移動ないし運動）装置によって可動に構成されることが好ましい。
（形態８）  上記形態７のステレオ顕微鏡において、前記電気機械式駆動（移動ないし運動）装置は、前記照明装置（複数）の少なくとも１つにおいて、好ましくは誤作動を回避するために確認通知（Rueckmeldung）を伴う終端スイッチ（Endschalter）を備えた中央制御装置によって制御されることが好ましい。
（形態９）  上記形態１〜８のステレオ顕微鏡において、観察ビーム路にも１又は複数の照明ビーム路にも可動に構成された共通のフィルタセットが配設されること
を特徴とする請求項１〜８の何れか一項に記載のステレオ顕微鏡。
（形態１０）  上記形態９のステレオ顕微鏡において、共通の電気機械式駆動（移動ないし運動）装置が配設されることが好ましい。
（形態１１）  上記形態１〜１０のステレオ顕微鏡において、少なくとも２つの前記照明装置のビーム路（複数）のための照明及び／又は励起フィルタが配設されること、及び
前記照明及び／又は励起フィルタ（２８、３８、５８）を同期的に運動させるための共通の制御装置（６０）が配設されることが好ましい。
（形態１２）  上記形態１１のステレオ顕微鏡において、前記観察ビーム路には、観察フィルタが、電気機械式駆動（移動ないし運動）装置によって可動に構成されること、及び当該電気機械式駆動装置は、同様に、前記共通の制御装置によって制御されることが好ましい。
（形態１３）  上記形態１〜１２のステレオ顕微鏡において、前記第１の照明装置のビーム路に可動に構成された白色光補正フィルタが配設されることが好ましい。
【００１１】
上記の課題を解決するために、本発明では、更に、光学装置（顕微鏡筐体ないしその付設部分）は、（少なくとも１つの）更なる光源（ないし照明装置）のための少なくとも１つの結合部（ないし差込入射要素）を有する。即ち、本発明によれば、（少なくとも１つの）更なる光源（ないし照明装置）のための少なくとも１つの結合部が設けられるべきであるが、予め設定されるスペクトル範囲を有する１つの照明光源を白色光光源として最適化し、他方、他の光源を、所定の使用目的に対しまさに必要かつ好都合なスペクトル領域で最適化して使用することは問題なく可能である。更に、３以上の照明光源のための複数の結合部を有するよう構成することも可能であるが、その場合、相応の光学的及び／又は電気的切換装置によって作動させる（機能を奏させる）ことができる。
【００１２】
尤も、本発明の枠内において、個々の更なる照明光源を顕微鏡に（一体的に）組み込むことも可能であるが、その場合、顕微鏡が、少なくとも１つの更なる照明装置を有し、かつ該更なる照明装置は、（上記）予め設定されるスペクトル範囲からずれたスペクトル領域を有するよう構成することができる。
【００１３】
以下に、本発明の実施例を図面を用いて説明する。以下の各図は相互関連的に記載されており、同じ図面参照符号は同じ構造要素を表し、１０の位の異なる図面参照符号（１０、２０、３０等）は機能が同じないし類似の構造要素を表す。なお、以下の実施例は、発明の理解の容易化のためのものであり、本発明の技術的思想を逸脱しない範囲において当業者により実施可能な付加・削除・転換等を排除することは意図しない。また、特許請求の範囲に付した図面参照符号も発明の理解の容易化のためのものであり、本発明を図示の態様に限定することは意図しない。これらの点に関しては、補正・訂正後においても同様である。
【実施例】
【００１４】
図１によれば、対象物１は、それ自体既知の構造形式の（模式的に示した）顕微鏡筐体１０を有する顕微鏡によって観察される。この顕微鏡筐体１０には、光軸１２に沿った観察ビーム路１１を形成するための光学系がそれ自体既知の態様で組み込まれている。この光学系は、単にレンズとして図示した主対物レンズ１３を有するが、場合により、ズーム光学系の２つのレンズないしレンズ群１４、１５と、電磁石、電機子モータ（回転式ないしリニアモータ Laeufermotor）その他の類似のモータ（広義）のような電気機械式駆動装置１７によって必要に応じ観察ビーム路１１に旋回挿入又は摺動挿入可能に構成されたフィルタ１８とを有し、更に場合により、観察ビーム路１１の紙面上側に接眼レンズ（不図示）を有する。ステレオ顕微鏡の場合、このような観察ビーム路が２つ形成されることはいうまでもない。
【００１５】
対象物１を相応に照明するために、本発明により、（少なくとも）２つの光ないし照明装置２０、３０が配設される。これら照明装置２０、３０は、それぞれ、照明ビーム路５１、４１と、好ましくは照明プリズム５６、４６のミラー面として構成される偏向ミラー面とを介し、それぞれ１つの照明ビーム路５５、４５を、それらに属する光軸５４、４４に沿って被観察対象物１に投下する。照明装置（複数）を最適に必要な条件に適合させることが、本発明により可能となる。例えば、白色光（例えば照明装置２０）のために、とりわけキセノンランプを使用することができる。４００ｎｍ付近の範囲の光の波長（青色光）のためには水銀ランプが推奨される。赤外線のためには、極めて多様な光源、とりわけＩＲ−ダイオードレーザが考慮の対象となる。
【００１６】
照明装置２０、３０から対象物１に至るこれら照明ビーム路の各々は、それぞれ１つの光放射体（ないし光源）２１、３１を有する。光放射体２１、３１は、光（本書において「光」とは可視的及び不可視的な光の両者、即ち一般にいうところの電磁波と理解すべきである。）を光軸２２、３２に沿って、照明光学系２３、３３を介し、光導波装置２５、３５の入射部２４、３４に供給し、光導波装置２５、３５は、この光を、光出射部２６、３６へ導く。光導波装置２５、３５は、湾曲されて即ち光伝送ファイバ束として図示されているが、本発明では、そのような態様には限定されない。寧ろ、個々の照明装置２０、３０は、その光軸２２、３２が、顕微鏡筐体１０に延在する個々の照明ビーム路４１、５１の光軸４２、５２に整合（ないし光学的に一致するよう結合）するようなものであればどのような態様にも構成することができる。他の種類の光導波装置も、本発明の枠内において同様に可能であるが、図示の実施例のような光導波装置２５、３５、又はそれらの少なくとも１つ、が好ましい。大抵の場合、手術顕微鏡の架台には、例えば、標準照明装置２０が既に（第１照明装置として）組み込まれている。本発明により配設され必要に応じ外部装置として配設可能な第２の照明装置３０のためには、光伝送出射部３６自体は、追加的に結合されるべき光導波装置３５のための結合部として構成されるだけでよい。光導波装置のための結合部（複数）もそれ自体既知であるため、本書では詳細な説明は省略する。この場合、この結合部３６は、必要に応じ既存の顕微鏡に敷設可能であると共に相応の光学要素４３及び４６を有する特有の照明モジュール４０に形成されると都合がよい。
【００１７】
上述のように、それぞれの光導波装置２５、３５の出射側２６、３６は、照明ビーム路４１、５１の光軸４２、５２に沿った光学系に直接導かれる。この照明ビーム路４１、５１の光軸４２、５２には、それぞれ１つの照明集光レンズ４３、５３が配される。これら集光レンズ４３、５３は、複数の単レンズから構成可能であることは勿論である。
【００１８】
更に、２つの光軸４２、５２は、ミラープリズム４６、５６に入射し、上述した光軸４４、５４を有する照明ビーム路４５、５５へと偏向される。これらの照明ビーム路４５、５５は、観察ビーム路１１の近くに存在するので、照明ビーム路４５、５５と観察ビーム路１１との間に、光遮断作用を奏する遮光装置１６を配設すると有利である。
【００１９】
作動時には、例えば、制御又はコントロール装置６０と結合するスイッチ６２（ハンドスイッチ又はフットスイッチ、キーボード又は音声コントローラ等）を介し及び伝送路６３、６４を介し、その都度、照明装置２０、３０の一方がスイッチオンされ、対象物１が、例えば白色光又は青色光によって照射される。励起波長ないし励起スペクトルに切り替えられるべき場合は、励起用のフィルタ３８、５８又は観察用のフィルタ１８がそれぞれのビーム路１１、４１、５１に配される。このため、装置１７に関して上述したものと実質的に同様の電気機械式駆動装置３７、５７が配設される。これらの装置１７、３７及び５７はすべてコントロール装置６０ないしスイッチ６２によって信号伝送路６１、６１’を介して制御される。この場合、励起フィルタ３８、５８の運動が、有利には観察フィルタ１８の運動もが、同期的に実行されるように制御されると好都合である。これは、これらのフィルタが、励起モードではそれぞれのビーム路内に共通に移動され、かつ白色光モードでは当該ビーム路から外に同様に同期的に移動されることを意味する。この場合、制御装置は、ハードウェア又はソフトウェアとして、確認通知（Rueckmeldung）を伴う終端スイッチを有することができるが、これは、対象物が、意図に反して、白色光と励起光とによって同時に照射されることを阻止する。
【００２０】
図１にただ１つのフィルタ３８として示されているものは、順次並んで配されかつ選択的に摺動挿入可能な複数のフィルタの組合せセットとして構成することもできる（このことは他のフィルタ１８及び５８にも同様に当て嵌まる）。照明装置３０の光源（ないし光放射体）３１が青色光源である場合、例えば、第１のフィルタ３８は、白色光で対象物１を観察する際に光軸３２に沿ったビーム路を閉鎖する、即ちシャッタとして作動するように構成することができる。代替的に（又は選択的使用のために付加的に）、照明装置３０の光源（ないし光放射体）３１のスペクトルを補正する白色光モードのためのフィルタが設けられる。また、専ら励起波長を通過させる場合にのみ旋回挿入される励起フィルタを更に設けることも可能である。その場合、対象物野では、（フィルタ５８が旋回挿入された場合）所望の励起波長を有する２つの光源２１及び３１の照明エネルギが利用可能となるため、（光）強度は全体として増大される。尤も、スイッチ６２は、使用に当って付加的光が不所望の場合、光源２０又は３０の一方をスイッチオフするためにも使用することができる。とりわけ互いに異なる複数の−尤も同一にして同期的（synchron）であってもよいが−励起及び／又は観察波長のために、複数のフィルタセットを有するフィルタ切換器を設けることも可能である。なお、本発明では、互いに異なる励起スペクトル領域を有する複数の光源のための複数の結合部（例えば、結合部３６参照）を設けることも可能である。
【００２１】
図２の実施例は、伝送路６３及び６４は図示されていないが、図１の実施例と本質的に異なるのは、顕微鏡筐体１０内の旋回挿入可能に構成された励起フィルタ５８（図１）が除去され、その代わりに励起フィルタ２８が光源２０内に組み込まれるため、顕微鏡筐体１０内の大きな電気機械的負荷ないし必要（エネルギ消費等）を回避ないし軽減することができることである。このことは、図２の実施例（の構成）には機能に関して何らの不利な作用も引き起こされないため、構造・組立上の観点からも有利である。
【００２２】
図３の実施例も、フィルタの配置・構成に関して上記２つの実施例と相違する。この実施例では、制御装置６０の（出力）伝送路６１’が、顕微鏡筐体１０の電気機械式駆動装置ないし中央部のモータ６７と結合し、該電気機械式駆動装置ないしモータ６７は、照明ビーム路４５及び５５における第１及び第２の光源２０及び３０のための励起フィルタ６８ａと、観察ビーム路１１における観察フィルタ６８ｂとが、同時に作動可能となる（又はこれらビーム路から離脱可能となる）ように、観察ビーム路１１においても照明ビーム路４５、５５においても、フィルタセット６８を（位置）調整可能にする。この実施例では、電気機械式駆動装置を顕微鏡筐体１０内に収容せざるを得ないにも関わらず、（複数の）電気機械式駆動装置に関するコストないし費用は著しく低減される。上記各実施例の何れが好ましいか、とりわけ図２又は図３の実施例のどちらが好ましいかは、個々の使用対象及び構造ないし組立上の条件ないし要求に依存する。ここで言及すべきことは、図３の実施例では、必然的に、フィルタセット６８を（及びその電気機械式駆動装置６７も）プリズム４６及び５６の比較的近くに配設することができる。なぜなら、そのような部位では、照明ビームの拡開度はまだ比較的小さいからである。他方、そのような部位では、観察ビーム路１１の拡開度は比較的大きいので、一定の妥協を甘受せざるを得ない。
【００２３】
図４の実施例は、図１の実施例と図３の実施例とを組み合わせたものである。この実施例では、場合によっては互いに異なる照明ないし励起フィルタ６８、５８及び／又は３８を作動させることが可能とされるが、そのために、制御装置６０には相応の制御伝送路ないし信号バス６１、６１’が配される。このため、この実施例は、異なる複数の用途（使用対象）に利用可能であることは勿論である。
【００２４】
本発明の枠内において、多種多様なバリエーションが可能である。例えば、各変形例に存在するフィルタ１８、２８、３８、５８、６８の各々に対し１つの専用の電気機械式駆動装置（即ち「運動させるもの」という意味における最広義の「モータ」）が割り当てられると便利であることは勿論であるが、複数のフィルタ又はそのうちの１つが手動でそれぞれのビーム路にもたらされるように構成された最も単純化された実施例も勿論同様に本発明の枠内にある。
【００２５】
調整可能な２つの照明装置の組合せから生じる変形可能性（ないしその多様性）が本発明において重要である。従って、従来の顕微鏡照明に、調整可能な一対の本発明の照明装置をプラスしたものを含むステレオ顕微鏡の変形形態も本発明の枠内に含まれる。
【図面の簡単な説明】
【００２６】
【図１】本発明の一実施例の模式図。
【図２】本発明の更なる一実施例の模式図。
【図３】本発明の他の一実施例の模式図。
【図４】本発明の更に他の一実施例の模式図。
【符号の説明】
【００２７】
１  （被観察）対象物
１０  顕微鏡筐体
１１  観察ビーム路
１２、２２、３２、４２、５２  光軸
１３  主対物レンズ
１４、１５  ズーム光学系
１６  遮光装置
１７、２７、３７、５７、６７  電気機械式駆動装置（モータ等）
１８、２８、３８、５８、６８  フィルタ（セット）
２０、３０  照明装置
２１、３１  光放射体ないし照明光源
２３、３３  照明光学系
４３、５３  集光レンズ
２４、３４  光導波装置２５、３５の光入射部
２５、３５  光導波装置
２６、３６  光導波装置２５、３５の光出射部
４１、５１  照明ビーム路
４４、５４  照明ビーム路４５、５５の光軸
４５、５５  照明ビーム路
４６、５６  照明プリズム
６０  制御装置
６１、６１’  （信号）伝送路
６２  スイッチ
６３、６４  （信号）伝送路
６８ａ  励起フィルタ
６８ｂ  観察フィルタ
【図１】
2006221167.tif 000003
【図２】
2006221167.tif 000004
【図３】
2006221167.tif 000005
【図４】
2006221167.tif 000006